(57)【要約】      （修正有）【課題】節電機能を有するタッチ式透明キーボードを提供する。【解決手段】タッチ式透明キーボード１００は、入力操作エリアとするタッチパレット１０と、中央演算処理装置と、透明表示パネル３０と、検出装置９０と、を備える。前記タッチパレット、前記透明表示パネル及び前記検出装置は、それぞれ前記中央演算処理装置に電気的に接続される。前記検出装置は、ユーザーの手が前記入力操作エリアに入ったかどうかを検知して、前記中央演算処理装置に対応する制御信号を送信する。前記中央演算処理装置は、前記制御信号に基づいてタッチ式透明キーボードを動作状態或いは待機状態に切り替えるかどうかを判断する。【選択図】図３
2012014703.tif 000002
【特許請求の範囲】
【請求項１】
入力操作エリアとするタッチパレットと、中央演算処理装置と、透明表示パネルと、検出装置と、を備えるタッチ式透明キーボードにおいて、
前記タッチパレット、前記透明表示パネル及び前記検出装置は、それぞれ前記中央演算処理装置に電気的に接続され、
前記検出装置は、ユーザーの手が前記入力操作エリアに入ったかどうかを検知して、前記中央演算処理装置に対応する制御信号を送信し、前記中央演算処理装置は、前記制御信号に基づいてタッチ式透明キーボードを動作状態或いは待機状態に切り替えるかどうかを判断することを特徴とするタッチ式透明キーボード。
【請求項２】
前記検知装置は、赤外光を発するための１つの発光ユニットと、赤外光を受け入れるための少なくとも２つの受光ユニットと、１つのマイクロプロセッサーと、を備え、
前記発光ユニット及び前記受光ユニットはそれぞれ前記マイクロプロセッサーに電気的に接続され、前記マイクロプロセッサーは前記中央演算処理装置に電気的に接続されることを特徴とする請求項１に記載のタッチ式透明キーボード。
【請求項３】
前記検出装置は光学レンズエリアが設けられている上面を有し、前記発光ユニットは前記光学レンズエリアの下方に設けられ、前記光学レンズエリアの両側にはそれぞれ１つの受光ユニットが設けられ、
前記光学レンズエリアにより、前記発光ユニットが発する赤外光を前記上面に直交するように出射させることを特徴とする請求項２に記載のタッチ式透明キーボード。
【請求項４】
前記受光ユニットが赤外光を受け入れると、前記マイクロプロセッサーは前記中央演算処理装置に第一制御信号を送信して、前記中央演算処理装置により前記タッチ式透明キーボードを動作状態に保持させ、又は前記タッチ式透明キーボードを待機状態から動作状態に切り替えることを特徴とする請求項２に記載のタッチ式透明キーボード。
【請求項５】
前記受光ユニットが赤外光を受け入れないと、前記マイクロプロセッサーは前記中央演算処理装置に第二制御信号を送信して、前記中央演算処理装置により前記タッチ式透明キーボードを待機状態に保持させ、又は前記タッチ式透明キーボードを動作状態から待機状態に切り替えることを特徴とする請求項２に記載のタッチ式透明キーボード。
【発明の詳細な説明】
【技術分野】
【０００１】
本発明は、タッチ式キーボードに関し、特にタッチ式透明キーボードに関するものである。
【背景技術】
【０００２】
キーボードは、主な入力デバイスとして、電子装置にとって不可欠な外部接続部品である。特に、タッチ式キーボードは、軽薄という利点を有し、消費者に人気である。しかし、従来のタッチ式キーボードは、ユーザーが入力操作をしない場合にも通電状態を維持するので、電気エネルギーの浪費を招くだけではなく、その外観が単調で、消費者の電子装置に対する個性的なニーズを満たさない。
【発明の概要】
【発明が解決しようとする課題】
【０００３】
本発明は、上記の問題点を考慮してなされたものであり、節電機能を有するタッチ式透明キーボードを提供することを目的とする。
【課題を解決するための手段】
【０００４】
前記課題を解決するために、本発明に係るタッチ式透明キーボードは、入力操作エリアとするタッチパレットと、中央演算処理装置と、透明表示パネルと、検出装置と、を備える。前記タッチパレット、前記透明表示パネル及び前記検出装置は、それぞれ前記中央演算処理装置に電気的に接続される。前記検出装置は、ユーザーの手が前記入力操作エリアに入ったかどうかを検知して、前記中央演算処理装置に対応する制御信号を送信する。前記中央演算処理装置は、前記制御信号に基づいてタッチ式透明キーボードを動作状態或いは待機状態に切り替えるかどうかを判断する。
【発明の効果】
【０００５】
従来の技術と比較すると、本発明のタッチ式透明キーボードは、その側面に設けられる検出装置によりユーザーの手が入力操作エリアに入ったかどうかを検知して、内部の中央演算処理装置を介して前記タッチ式透明キーボードを動作状態或いは待機状態に切り替えて、電気エネルギーを節約する目的を達成する。
【図面の簡単な説明】
【０００６】
【図１】本発明のタッチ式透明キーボードの分解図である。
【図２】図１に示したタッチ式透明キーボードの内部回路モジュールを示すブロック図である。
【図３】図１に示したタッチ式透明キーボードの組立て図である。
【図４Ａ】本発明のタッチ式透明キーボードの作動原理の一部を示す流れ図である。
【図４Ｂ】本発明のタッチ式透明キーボードの動作原理のもう一部を示す流れ図である。
【発明を実施するための形態】
【０００７】
図１に示したように、本発明の好適な実施形態に係るタッチ式透明キーボード１００は、入力操作エリアとするタッチパレット１０と、透明表示パネル３０と、固定部材５０と、前記固定部材５０の下方に設けられる支持部材７０と、検出装置９０と、を備える。前記タッチパレット１０は、前記透明表示パネル３０に被覆され且つ前記透明表示パネル３０に電気的に接続される。ユーザーは前記タッチパレット１０をタッチすることにより、電子装置に情報を入力する。前記固定部材５０及び前記検出装置９０は、それぞれ前記透明表示パネル３０の対向する２つの側面に装着される。前記支持部材７０が存在するため、前記タッチ式透明キーボード１００が卓上に設置されると、やや傾斜状態になる。前記支持部材７０の内部に制御回路基板（図示せず）が設けられており、前記タッチパレット１０、前記透明表示パネル３０及び前記検出装置９０は、それぞれ前記支持部材７０内の制御回路基板に電気的に接続される。
【０００８】
前記タッチパレット１０は、透明シート１１及びこの透明シート１１に電気的に接続されるフレキシブルプリント回路基板（Ｆｌｅｘｉｂｌｅ  Ｐｒｉｎｔｅｄ  Ｃｉｒｃｕｉｔ  Ｂｏａｒｄ，  ＦＰＣＢ）１３を備える。前記透明シート１１は、外部からのタッチ操作を検知して、且つタッチ位置信号を前記フレキシブルプリント回路基板１３を介して前記支持部材７０内の制御回路基板に伝送する。
【０００９】
前記透明表示パネル３０は、キーアイコンを表示するために用いられ、且つ透明有機発光表示パネル（ｔｒａｎｓｐａｒｅｎｔ  ｏｒｇａｎｉｃ  ｌｉｇｈｔ  ｅｍｉｔｔｉｎｇ  ｄｉｏｄｅ  ｄｉｓｐｌａｙ，  ＴＯＬＥＤ）或いは透明エレクトロルミネッセンスエミッティング  ディスプレイ（ｆｉｅｌｄ−ｅｍｉｓｓｉｏｎ  ｄｉｓｐｌａｙ，  ＦＥＤ）であるのが好ましい。前記透明表示パネル３０は、リード線或いはフレキシブルプリント回路基板を介して前記支持部材７０内の制御回路基板に電気的に接続される。前記透明表示パネル３０は、短手方向に沿って延在する２つの第一側面３１及び長手方向に沿って延在する２つの第二側面３３を備える。１つの前記第二側面３３には、少なくとも２つの係止用ブロック３７が設けられており、前記検出装置９０は前記係止用ブロック３７を介して前記第二側面３３に固定される。２つの前記第一側面３１の前記係止用ブロック３７から離れている一端には、係合凹溝３５がそれぞれに設けられており、２つの前記係合凹溝３５が対称的に設けられる。
【００１０】
前記固定部材５０は、細長い平板体であり、側面に収容凹溝５１が設けられている。前記収容凹溝５１の底面には、リード線或いはフレキシブルプリント回路基板を通過させるための貫通開口（図示せず）が設けられている。前記収容凹溝５１の両端には、前記係合凹溝３５の形状にマッチングする固定柱５３がそれぞれ設けられている。前記検出装置９０も、細長い平板体であり、その側面には形状及び数目が前記係止用ブロック３７にそれぞれマッチングする嵌合孔９１が設けられている。
【００１１】
図２に示したように。前記検出装置９０は、赤外光を発するための１つの発光ユニット９２、赤外光を受け入れるための少なくとも２つの受光ユニット９４及び１つのマイクロプロセッサー９６を備える。前記発光ユニット９２及び前記受光ユニット９４は、それぞれ前記マイクロプロセッサー９６に電気的に接続される。好ましくは、前記発光ユニット９２は赤外発光ダイオードであり、前記受光ユニット９４は赤外線センサーである。前記支持部材７０内の制御回路基板には、中央演算処理装置（ＣＰＵ）２０が設けられる。前記透明表示パネル３０及び前記マイクロプロセッサー９６は、それぞれこの中央演算処理装置２０に電気的に接続される。
【００１２】
図３に示したように、本実施形態において、前記検出装置９０の上面９３には、光学レンズエリア９７が設けられ、前記発光ユニット９２は前記光学レンズエリア９７の下方に設けられる。前記光学レンズエリア９７の両端には、それぞれ１つの受光ユニット９４が設けられる。前記光学レンズエリア９７は、前記発光ユニット９２により発せられる赤外光が前記上面９３に直交して出射させるために用いられる。
【００１３】
本発明のタッチ式透明キーボード１００を組立てる場合、まず、前記タッチパレット１０を両面テープ等を介して前記透明表示パネル３０に粘着する。次に、前記固定部材５０の両端の固定柱５３を前記透明表示パネル３０の２つの係合凹溝３５にそれぞれ対応して係合させて、前記固定部材５０を前記透明表示パネル３０の一方側に装着する。次に、前記透明表示パネル３０の側面の２つの係止用ブロック３７をそれぞれ前記検出装置９０の嵌合孔９１内に挿嵌して、前記検出装置９０を前記透明表示パネル３０の他方側に装着する。
【００１４】
前記タッチ式透明キーボード１００が動作状態において、前記透明表示パネル３０はキーアイコンを表示するので、ユーザーは前記タッチパレット１０をタッチすることにより入力操作を行う。一方、前記タッチ式透明キーボード１００が待機状態において、前記透明表示パネル３０はキーアイコンを表示せず、前記タッチ式透明キーボード１００全体が透明状を呈する。前記タッチ式透明キーボード１００の動作原理について簡単に説明すると、前記発光ユニット９２により発せられる赤外光は、前記検出装置９０の上面９３から垂直に出射する。ユーザーは、前記タッチ式透明キーボード１００を使用する場合、手のひらが必ず前記検出装置９０の上方を通過してから、前記タッチ式透明キーボード１００の入力エリアに到達することになるので、ユーザーの手のひらに出射される赤外光は乱反射され、前記受光ユニット９４は反射された赤外光を受け入れる。このようにして、前記マイクロプロセッサー９６は、前記受光ユニット９４が赤外光を受け入れたかどうかに基づいて、前記中央演算処理装置２０に対応する制御信号を送信して、前記中央演算処理装置２０は受信した制御信号に基づいて前記タッチ式透明キーボード１００を動作状態或いは待機状態に切り替える。
【００１５】
図４Ａ及び図４Ｂに示したように、本発明のタッチ式透明キーボード１００が動作する時に、以下のようなステップを備える。
【００１６】
ステップ１では、前記マイクロプロセッサー９６は前記発光ユニット９２を制御して、それに赤外光を発するようにさせる。前記赤外光は、前記光学レンズエリア９７を透過して前記検出装置９０の上面９３に直交して出射する。
【００１７】
ステップ２では、前記マイクロプロセッサー９６は、前記受光ユニット９４が赤外光を受け入れたかどうかを判断する。もし、前記受光ユニット９４は、赤外光を受け入れた場合に、ステップ３を実行する。さもなければ、ステップ７を実行する。
【００１８】
ステップ３では、前記マイクロプロセッサー９６は、前記中央演算処理装置２０に第一制御信号を送信する。
【００１９】
ステップ４では、前記中央演算処理装置２０は、前記タッチ式透明キーボード１００が動作状態にあるかどうかを判断する。もし、前記タッチ式透明キーボード１００は動作状態にあると、ステップ５を実行する。さもなければ、ステップ６を実行する。
【００２０】
ステップ５では、前記中央演算処理装置２０は、前記タッチ式透明キーボード１００に動作状態を保持させる。
【００２１】
ステップ６では、前記中央演算処理装置２０は、前記タッチ式透明キーボード１００を動作状態に切り替える。
【００２２】
ステップ７では、前記マイクロプロセッサー９６は、前記中央演算処理装置２０に第二制御信号を送信する。
【００２３】
ステップ８では、前記中央演算処理装置２０は、前記タッチ式透明キーボード１００が待機状態にあるかどうかを判断する。もし、前記タッチ式透明キーボード１００は待機状態にあると、ステップ９を実行する。さもなければ、ステップ１０を実行する。
【００２４】
ステップ９では、前記中央演算処理装置２０は、前記タッチ式透明キーボード１００に待機状態を保持させる。
【００２５】
ステップ１０では、前記中央演算処理装置２０は、前記タッチ式透明キーボード１００を待機状態に切り替える。
【００２６】
本発明の実施形態によれば、前記タッチ式透明キーボード１００は、その側面に設けられる検出装置９０によりユーザーの手が入力操作エリアに入るかどうかを検知して、内部の中央演算処理装置２０を介して前記タッチ式透明キーボード１００を動作状態或いは待機状態に切り替えて、電気エネルギーを節約する目的を達成する。
【００２７】
また、前記検出装置９０の上面９３に光学レンズエリア９７を設けずに、光学レンズを介して前記発光ユニット９２の赤外発光ダイオードを直接に密封することにより、前記発光ユニット９２が発する赤外光を前記上面９３に直交して出射することも確保できる。
【００２８】
また、前記検出装置９０は、前記透明表示パネル３０の四周を囲むように設けられることができる。
【００２９】
以上、本発明の好適な実施形態について詳細に説明したが、本発明は前記実施形態に限定されるものではなく、本発明の範囲内で種々の変形又は修正が可能であり、該変形又は修正も、本発明の特許請求の範囲内に含まれるものであることは、いうまでもない。
【符号の説明】
【００３０】
１０                  タッチパレット
１１                  透明シート
１３                  フレキシブルプリント回路基板
２０                  中央演算処理装置
３０                  透明表示パネル
３１                  第一側面
３３                  第二側面
３５                  係合凹溝
３７                  係止用ブロック
５０                  固定部材
５１                  収容凹溝
５３                  固定柱
７０                  支持部材
９０                  検出装置
９２                  発光ユニット
９３                  上面
９４                  受光ユニット
９６                  マイクロプロセッサー
９７                  光学レンズエリア
１００                タッチ式透明キーボード
【図１】
2012014703.tif 000003
【図２】
2012014703.tif 000004
【図３】
2012014703.tif 000005
【図４Ａ】
2012014703.tif 000006
【図４Ｂ】
2012014703.tif 000007